【事件の表示】
　特願２００６−　８４１８０「認証システム」拒絶査定不服審判事件〔平成１９年１０月　４日出願公開、特開２００７−２５７５４８〕について、次のとおり審決する。
【結　論】
　本件審判の請求は、成り立たない。
【理　由】
第１．手続の経緯
　本願は、平成１８年３月２４日の出願であって、平成２３年６月２２日付けで拒絶理由通知がなされたのに対して同年８月２９日に意見書及び手続補正書が提出されたが、同年１１月１４日付けで拒絶査定がなされ、これに対し、平成２４年２月２２日に拒絶査定不服審判の請求がなされたものである。
　
第２．本願発明
　本願の請求項１〜２に係る発明は、平成２３年８月２９日に提出された手続補正書により補正された特許請求の範囲の請求項１〜２に記載されている事項により特定されるとおりのものであり、そのうちの請求項１に係る発明（以下、「本願発明」という。）は、その請求項１に記載されている事項により特定される次のとおりのものである。
　
　「【請求項１】
　固有の識別情報が格納された被認証手段と、被認証手段から送信された識別情報に基づき被認証手段を所持するユーザを認証する認証手段とを備える認証システムであって、
　前記認証手段は現在時刻情報を格納した信号を所定時間毎に送出する信号送出手段を備え、
　前記被認証手段は信号送出手段から送出された信号内に格納されている現在時刻情報と前記識別情報とを暗号化して認証用パケットを前記認証手段に所定時間毎に送信し、
　前記認証手段は前記被認証手段から送信された前記認証用パケットを復号して現在時刻情報と識別情報とを取得し、取得した現在時刻情報と前記認証用パケットの受信時刻との時間差が所定時間内である場合に、取得した認証情報に基づいて前記被認証手段を所持するユーザの認証を行い、前記被認証手段にＡＣＫを送信し、
　前記被認証手段は前記認証手段からＡＣＫが送信された場合に前記認証用パケットの送信を停止すること
　を特徴とする認証システム。」
　
第３．引用刊行物に記載された発明
１．本願の出願の日前に日本国内において頒布され、原査定の根拠となった拒絶の理由において引用された刊行物である特開２００５−１４８９８２号公報（以下「引用例」という。）には、図面とともに次の記載がある。
　
ａ．「【技術分野】
【０００１】
　本発明は、
サービス利用者が正当なユーザであるのか否かを認証するユーザ認証方法と、そのユーザ認証方法の実現に用いられるユーザ情報取得装置および認証サーバ装置と、そのユーザ情報取得装置の実現に用いられるユーザ情報取得装置用プログラムと、その認証サーバ装置の実現に用いられる認証サーバ装置用プログラム
　
ｂ．「【００５３】
　図１に、
本発明を具備するシステム
【００５４】
　この図に示すように、本発明を具備するシステムでは、サービスを利用するユーザは、自身のＩＤを発信する無線タグ１０を携帯しており、サービス提供者は、ユーザの情報を取得するためのユーザ情報取得装置２０を設置する。
【００５５】
　このユーザ情報取得装置２０は、ユーザの携帯する無線タグ１０のＩＤを受信するための無線タグ読取装置２１と、ユーザの生体情報を取得するための生体情報取得装置２２とを有しており、これらの装置により取得した情報をインターネット４０などを経由して認証サーバ３０に送信する。
【００５６】
　これを受けて、認証サーバ３０は、受信した情報に基づいてユーザの認証や認可を検証し、その結果をユーザ情報取得装置２０に返信し、ユーザ情報取得装置２０がその結果に基づいて所定の認可動作を行う。」
　
ｃ．「【００５８】
　
図２に、無線タグ１０の装置構成の一実施形態例を図示する
【００５９】
　
図中、１００は暗号化ＩＤ記憶域であって、暗号化ＩＤ（本来のタグＩＤの暗号化されたもの）の記憶領域であるもの
１０５は無線受信部であって、無線タグ読取装置２１などから無線送信されてくる時刻情報を受信するもの
１０９は無線送信部であって、タグ送信情報を無線タグ読取装置２１に送信するものである
　
ｄ．「【００６４】
　
認証情報生成部１０８は、再暗号化部１０２により生成された再暗号化ＩＤを受けて、図３に示すように、生成された再暗号化ＩＤと、その再暗号化ＩＤの復号に用いられる復号鍵のＩＤと、時刻情報記憶域１０６に記憶される時刻情報とを生成対象として、認証用秘密鍵格納域１０７から読み出した認証用秘密鍵を使って認証情報を生成することで、これらを合わせたタグ送信情報（図３に示すもの）を生成する
　
ｅ．「【００６６】
　図４に、ユーザ情報取得装置２０の装置構成の一実施形態例を図示する。【００６７】
　図中、２３はユーザ情報生成手段であって、無線タグ読取装置２１の受信したタグ送信情報と生体情報取得装置２２の取得したサービス利用者の生体情報とを統合することでユーザ情報を生成するもの、２４はユーザ認証要求発行手段であって、ユーザ情報生成手段２３の生成したユーザ情報を認証サーバ３０に送信することで、サービス利用者の認証要求を発行するもの、２５はユーザ認証取得手段であって、認証サーバ３０から返信されてくるサービス利用者の認証結果を取得するもの、２６は認証結果反応手段であって、ユーザ認証取得手段２５の取得した認証結果に応じてゲートなどのアクチュエータを制御するものである。」
　
ｆ．「【００６９】
　このように構成されるユーザ情報取得装置２０は、無線タグ読取装置２１を用いて、サービス利用者の所持する無線タグ１０からタグ送信情報を取得するとともに、生体情報取得装置２２を用いて、サービス利用者の生体情報を取得して、この取得した２つの情報を統合することでユーザ情報を生成する。
【００７０】
　続いて、認証サーバ３０にユーザ情報を送信して、認証を依頼する。このとき、ＳＳＬ（Ｓｅｃｕｒｅ　Ｓｏｃｋｅｔ　Ｌａｙｅｒ）　やＩＰｓｅｃ（ＩＰ　Ｓｅｃｕｒｉｔｙ　Ｐｒｏｔｏｃｏｌ）などの機能を利用することにより安全な通信を実現するものとする。
【００７１】
　続いて、この認証依頼に応答して返信されてくる認証結果を受信して、その認証結果に応じて、アクチュエータを制御するなどの所定の動作を行う。」
　
ｇ．「【００７２】
　図６に、認証サーバ３０の装置構成の一実施形態例を図示する。
【００７３】
　図中、３１は生体情報データベースであって、サービス利用者のＩＤに対応付けてそのサービス利用者の生体情報（登録生体情報）を管理するもの、３２はＩＤ復号検証手段であって、ユーザ情報取得装置２０から送信されてくる通信メッセージ（図５に示すユーザ情報）に記録されているＩＤを復号し検証するもの、３３は生体情報認証手段であって、生体情報データベース３１を参照することでＩＤ復号検証手段３２の復号検証したＩＤの指す生体情報を取得して、その取得した生体情報とユーザ情報取得装置２０から送信されてくる通信メッセージに記録されている生体情報とを比較することで、サービス利用者を認証するものである。」
　
ｈ．「【００７４】
　ＩＤ復号検証手段３２は、無線タグ１０が図３に示すタグ送信情報を送信する場合には、図７に示す装置構成に従って、ユーザ情報取得装置２０から送信されてくる通信メッセージに記録されているタグＩＤ（サービス利用者のＩＤ）を復号し検証することになる。
【００７５】
　
すなわち、ＩＤ復号検証手段３２の復号部３２３は、ユーザ情報取得装置２０から送信されてくる通信メッセージの持つＩＤ情報部分（図３に示すタグ送信情報に該当する）を抽出すると、そのタグ送信情報に含まれる復号鍵ＩＤをキーにして、復号鍵ＩＤに対応付けて復号用秘密鍵を管理する復号用秘密鍵テーブル３２０を参照することで、復号用秘密鍵を取得し、その取得した復号用秘密鍵を使って、タグ送信情報に含まれる再帰暗号化ＩＤを復号することでタグＩＤを復号する
【００７６】
　
これを受けて、ＩＤ復号検証手段３２の認証情報検証部３２４は、復号部３２３の復号したタグＩＤをキーにして、タグＩＤに対応付けて検証用公開鍵を管理する検証用公開鍵テーブル３２１を参照することで、検証用公開鍵を取得し、その取得した検証用公開鍵を使って、タグ送信情報に含まれる認証情報を復号して、それがタグ送信情報に含まれる復号鍵ＩＤ／再暗号化ＩＤ／時刻情報と一致するのか否かを判断することにより、受信したタグ送信情報が改竄されていない正当なタグ送信情報であるのか否かを検証する
　
ｉ．「【００７７】
　
これを受けて、ＩＤ復号検証手段３２のワンタイム性判定部３２５は、改竄されていない正当なタグ送信情報であることが検証されると、タグ送信情報に含まれる時刻情報と自装置内の時計部３２２から読み取った時刻情報との間の差分時間を検出して、その差分時間が例えば１分以内というような所定の範囲内に入るのか否かをチェックすることにより、受信したタグ送信情報がリプレイアタック（再利用）されていないタグ送信情報であるのか否かを判定して、リプレイアタック（再利用）されていないタグ送信情報であることを確認する場合には、復号部３２３の復号したタグＩＤが正当なものであることを判断して、生体情報認証手段３３に出力する
【００７８】
　この図６および図７に示す構成に従って、認証サーバ３０は、ユーザ情報取得装置２０から送信されてくる通信メッセージに記録されているサービス利用者のＩＤを復号し検証して、それが指す登録生体情報を取得し、その取得した登録生体情報とユーザ情報取得装置２０から送信されてくる通信メッセージに記録されているサービス利用者の生体情報とを比較することで、サービス利用者を認証して、その認証結果をユーザ情報取得装置２０に返信するように処理するのである。」
　
２．ここにおいて、引用例は０００１段落記載のとおり、「サービス利用者が正当なユーザであるのか否かを認証するユーザ認証方法と、そのユーザ認証方法の実現に用いられるユーザ情報取得装置および認証サーバ装置と、そのユーザ情報取得装置の実現に用いられるユーザ情報取得装置用プログラムと、その認証サーバ装置の実現に用いられる認証サーバ装置用プログラム」を説明する文献であるところ、００５３段落等にはこれを具備する「システム」が説明されており、該システムは「ユーザ認証システム」と言えるものである。
　そして、００５８段落の「図２に、無線タグ１０の装置構成の一実施形態例を図示する。」という記載及び００５９段落の「図中、１００は暗号化ＩＤ記憶域であって、暗号化ＩＤ（本来のタグＩＤの暗号化されたもの）の記憶領域であるもの、」という記載から、「無線タグ１０」には、「本来のタグＩＤが暗号化された」「暗号化ＩＤ」が格納されていることは明らかである。
　そして、００５３段落乃至００５６段落、００６６段落、００６９段落乃至００７１段落、００７２段落や図１、図４、図６等に記載されている「ユーザ情報取得装置２０」と、「インターネット４０」を経由して前記「ユーザ情報取得装置２０」に接続されている「認証サーバ３０」とは、「無線タグ１０」からの「本来のタグＩＤ」の正当性を確認するためのものであるから全体として認証手段を構成しているといえるので、引用例には、「本来のタグＩＤが暗号化された」「暗号化ＩＤ」が格納された「無線タグ１０」と、「無線タグ１０」から送信された「本来のタグＩＤが暗号化された」「暗号化ＩＤ」に基づき「無線タグ１０」を所持する「ユーザ」を認証する「ユーザ情報取得装置２０」と「インターネット４０」を経由して前記「ユーザ情報取得装置２０」に接続されている「認証サーバ３０」とからなる認証手段とを備える「ユーザ認証システム」が記載されているものと認める。
　
３．また、００５９段落の「１０５は無線受信部であって、無線タグ読取装置２１などから無線送信されてくる時刻情報を受信するもの、」という記載から、引用例の００５３乃至００５６段落、００６６段落、図１及び図４に記載されている「ユーザ情報取得装置２０」内の「無線タグ読取装置２１」には、「時刻情報」を「無線タグ１０」に向けて送信する送信手段が備えられていることは明らかである。
　
４．また、００６４段落の「認証情報生成部１０８は、再暗号化部１０２により生成された再暗号化ＩＤを受けて、図３に示すように、生成された再暗号化ＩＤと、その再暗号化ＩＤの復号に用いられる復号鍵のＩＤと、時刻情報記憶域１０６に記憶される時刻情報とを生成対象として、認証用秘密鍵格納域１０７から読み出した認証用秘密鍵を使って認証情報を生成することで、これらを合わせたタグ送信情報（図３に示すもの）を生成する。」という記載から、引用例の「無線タグ１０」は、「再暗号化部１０２」により「本来のタグＩＤが暗号化された」「暗号化ＩＤ」から「生成された再暗号化ＩＤと、その再暗号化ＩＤの復号に用いられる復号鍵のＩＤと、時刻情報記憶域１０６に記憶される時刻情報とを生成対象として、認証用秘密鍵格納域１０７から読み出した認証用秘密鍵を使って認証情報を生成」していることは明らかである。
　そして、００５９段落の「１０９は無線送信部であって、タグ送信情報を無線タグ読取装置２１に送信するものである。」という記載から、この生成された「認証情報」は、「タグ送信情報」（図３）として「無線送信部１０９」を介して「ユーザ情報取得装置２０」内の「無線タグ読取装置２１」に向け送信されていることは明らかである。
　
５．また、００７５段落の「すなわち、ＩＤ復号検証手段３２の復号部３２３は、ユーザ情報取得装置２０から送信されてくる通信メッセージの持つＩＤ情報部分（図３に示すタグ送信情報に該当する）を抽出すると、そのタグ送信情報に含まれる復号鍵ＩＤをキーにして、復号鍵ＩＤに対応付けて復号用秘密鍵を管理する復号用秘密鍵テーブル３２０を参照することで、復号用秘密鍵を取得し、その取得した復号用秘密鍵を使って、タグ送信情報に含まれる再帰暗号化ＩＤを復号することでタグＩＤを復号する。」という記載及び００７６段落の「これを受けて、ＩＤ復号検証手段３２の認証情報検証部３２４は、復号部３２３の復号したタグＩＤをキーにして、タグＩＤに対応付けて検証用公開鍵を管理する検証用公開鍵テーブル３２１を参照することで、検証用公開鍵を取得し、その取得した検証用公開鍵を使って、タグ送信情報に含まれる認証情報を復号して、それがタグ送信情報に含まれる復号鍵ＩＤ／再暗号化ＩＤ／時刻情報と一致するのか否かを判断することにより、受信したタグ送信情報が改竄されていない正当なタグ送信情報であるのか否かを検証する。」という記載から、引用例において、「ユーザ情報取得装置２０」内の「無線タグ読取装置２１」によって受信された「タグ送信情報」（図３）に含まれる「再暗号化ＩＤ」を、「認証サーバ３０」内の「ＩＤ復号検証手段３２の復号部３２３」に供給することよって「本来のタグＩＤ」が「復号」され、この「復号」された「本来のタグＩＤ」を「キー」にして、本来の「タグＩＤに対応付けて検証用公開鍵を管理する検証用公開鍵テーブル３２１を参照」して、「タグ送信情報」（図３）に含まれる「認証情報」を復号し、この「復号」された「認証情報」に含まれる「時刻情報」を抽出していることは明らかである。
　
６．また、００７７段落の「これを受けて、ＩＤ復号検証手段３２のワンタイム性判定部３２５は、改竄されていない正当なタグ送信情報であることが検証されると、タグ送信情報に含まれる時刻情報と自装置内の時計部３２２から読み取った時刻情報との間の差分時間を検出して、その差分時間が例えば１分以内というような所定の範囲内に入るのか否かをチェックすることにより、受信したタグ送信情報がリプレイアタック（再利用）されていないタグ送信情報であるのか否かを判定して、リプレイアタック（再利用）されていないタグ送信情報であることを確認する場合には、復号部３２３の復号したタグＩＤが正当なものであることを判断して、生体情報認証手段３３に出力する。」という記載から、引用例の「復号」された「認証情報」から抽出した「時刻情報と自装置内の時計部３２２から読み取った時刻情報との間の差分間」を「ワンタイム性判別部３２５」によって検出し、その「差分時間」が「所定の範囲内に入る」場合には、「受信したタグ送信情報がリプレイアタック（再利用）されていないタグ送信情報」であると判定して、「復号部３２３」の「復号」した「本来のタグＩＤ」を正当なものとすることが記載されていることは明らかである。
　
７．したがって、以上を総合すると、引用例には、次の発明（以下「引用発明」という。）が記載されているものと認められる。
　「本来のタグＩＤが暗号化された暗号化ＩＤが格納された無線タグ１０と、無線タグ１０から送信された本来のタグＩＤが暗号化された暗号化ＩＤに基づき無線タグ１０を所持するユーザを認証するユーザ情報取得装置２０とインターネット４０を経由して前記ユーザ情報取得装置２０に接続されている認証サーバ３０とからなる認証手段とを備えるユーザ認証システムであって、
　前記認証手段における前記ユーザ情報取得装置２０内の無線タグ読取装置２１は、時刻情報を前記無線タグ１０に向けて送信する送信手段を備え、
　前記無線タグ１０は、再暗号化部１０２により本来のタグＩＤが暗号化された暗号化ＩＤから生成された再暗号化ＩＤと、その再暗号化ＩＤの復号に用いられる復号鍵のＩＤと、時刻情報記憶域１０６に記憶される前記時刻情報とを生成対象として、認証用秘密鍵格納域１０７から読み出した認証用秘密鍵を使って認証情報を生成し、この生成した認証情報をタグ送信情報として無線送信部１０９を介して前記ユーザ情報取得装置２０内の無線タグ読取装置２１に向け送信し、
　前記認証手段における前記ユーザ情報取得装置２０内の無線タグ読取装置２１によって受信された前記タグ送信情報に含まれる再暗号化ＩＤを、前記認証サーバ３０内のＩＤ復号検証手段３２の復号部３２３に供給することよって前記本来のタグＩＤが復号され、この復号された前記本来のタグＩＤをキーにして、本来のタグＩＤに対応付けて検証用公開鍵を管理する検証用公開鍵テーブル３２１を参照して、前記タグ送信情報に含まれる前記認証情報を復号し、この復号された認証情報に含まれる前記時刻情報を抽出し、この抽出した前記時刻情報と自装置内の時計部３２２から読み取った時刻情報との間の差分間をワンタイム性判別部３２５によって検出し、その差分時間が所定の範囲内に入る場合には、受信したタグ送信情報がリプレイアタック（再利用）されていないタグ送信情報であると判定して、前記復号部３２３の復号した前記本来のタグＩＤを正当なものとすることを特徴とするユーザ認証システム。」
　
第４．本願発明と引用発明との対比
１．引用発明の「無線タグ１０」は、認証対象となる被認証手段であるといえ、また、引用発明の「本来のタグＩＤ」は、固有の識別情報であるといえるから、引用発明の「本来のタグＩＤが暗号化された暗号化ＩＤが格納された無線タグ１０」は、本願発明の「固有の識別情報が格納された被認証手段」に相当している。　
２．引用発明の「無線タグ１０から送信された本来のタグＩＤが暗号化された暗号化ＩＤに基づき無線タグ１０を所持するユーザを認証するユーザ情報取得装置２０とインターネット４０を経由して前記ユーザ情報取得装置２０に接続されている認証サーバ３０とからなる認証手段とを備えるユーザ認証システム」は、本願発明の「被認証手段から送信された識別情報に基づき被認証手段を所持するユーザを認証する認証手段とを備える認証システム」に相当している。
　
３．引用発明の「時刻情報」は時間と共に絶えず変化するものであるから、引用発明の「送信手段」もこの変化した「時刻情報」を「所定時間毎に送出」しているものと認めるから、引用発明の「前記認証手段における前記ユーザ情報取得装置２０内の無線タグ読取装置２１は、時刻情報を前記無線タグ１０に向けて送信する送信手段」は、本願発明の「前記認証手段は現在時刻情報を格納した信号を所定時間毎に送出する信号送出手段」に相当している。
　
４．引用例の図３の記載から「タグ送信情報」に含まれる「認証情報」はパケット化されていることは明らかであるから、引用発明の「認証情報」は、本願発明の「認証用パケット」に相当しており、引用発明の「前記無線タグ１０は、再暗号化部１０２により本来のタグＩＤが暗号化された暗号化ＩＤから生成された再暗号化ＩＤと、その再暗号化ＩＤの復号に用いられる復号鍵のＩＤと、時刻情報記憶域１０６に記憶される前記時刻情報とを生成対象として、認証用秘密鍵格納域１０７から読み出した認証用秘密鍵を使って認証情報を生成し、この生成した認証情報をタグ送信情報として無線送信部１０９を介して前記ユーザ情報取得装置２０内の無線タグ読取装置２１に向け送信し、」と、本願発明の「前記被認証手段は信号送出手段から送出された信号内に格納されている現在時刻情報と前記識別情報とを暗号化して認証用パケットを前記認証手段に所定時間毎に送信し、」とは「前記被認証手段は信号送出手段から送出された信号内に格納されている現在時刻情報と前記識別情報とを暗号化して認証用パケットを前記認証手段に送信し」ている点で共通している。
　
５．引用発明の「前記認証手段における前記ユーザ情報取得装置２０内の無線タグ読取装置２１によって受信された前記タグ送信情報に含まれる再暗号化ＩＤを、前記認証サーバ３０内のＩＤ復号検証手段３２の復号部３２３に供給することよって前記本来のタグＩＤが復号され、この復号された前記本来のタグＩＤをキーにして、本来のタグＩＤに対応付けて検証用公開鍵を管理する検証用公開鍵テーブル３２１を参照して、前記タグ送信情報に含まれる前記認証情報を復号し、この復号された認証情報に含まれる前記時刻情報を抽出し、この抽出した前記時刻情報と自装置内の時計部３２２から読み取った時刻情報との間の差分間をワンタイム性判別部３２５によって検出し、」は、本願発明の「前記認証手段は前記被認証手段から送信された前記認証用パケットを復号して現在時刻情報と識別情報とを取得し、」に相当している。
　
６．引用発明の「この抽出した前記時刻情報と自装置内の時計部３２２から読み取った時刻情報との間の差分間をワンタイム性判別部３２５によって検出し、その差分時間が所定の範囲内に入る場合には、受信したタグ送信情報がリプレイアタック（再利用）されていないタグ送信情報であると判定して、前記復号部３２３の復号した前記本来のタグＩＤを正当なものとすること」と、本願発明の「取得した現在時刻情報と前記認証用パケットの受信時刻との時間差が所定時間内である場合に、取得した認証情報に基づいて前記被認証手段を所持するユーザの認証を行い、前記被認証手段にＡＣＫを送信し、前記被認証手段は前記認証手段からＡＣＫが送信された場合に前記認証用パケットの送信を停止すること」とは、「取得した現在時刻情報と前記認証用パケットの受信時刻との時間差が所定時間内である場合に、取得した認証情報に基づいて前記被認証手段を所持するユーザの認証を行」なっている点で共通している。
　
７．以上を総合すると、本願発明と引用発明とは、
　「固有の識別情報が格納された被認証手段と、被認証手段から送信された識別情報に基づき被認証手段を所持するユーザを認証する認証手段とを備える認証システムであって、
　前記認証手段は現在時刻情報を格納した信号を所定時間毎に送出する信号送出手段を備え、
　前記被認証手段は信号送出手段から送出された信号内に格納されている現在時刻情報と前記識別情報とを暗号化して認証用パケットを前記認証手段に送信し、
　前記認証手段は前記被認証手段から送信された前記認証用パケットを復号して現在時刻情報と識別情報とを取得し、取得した現在時刻情報と前記認証用パケットの受信時刻との時間差が所定時間内である場合に、取得した認証情報に基づいて前記被認証手段を所持するユーザの認証を行うこと
　を特徴とする認証システム。」
　
　である点で一致し、次の点で相違する。
　
（相違点１）
　「被認証手段」から「認証手段」に「送信」される「認証用パケット」を、本願発明は、「所定時間毎に送信し」ているのに対して、引用発明はこの点が明記されていない点。
　
(相違点２）
　「取得した現在時刻情報と前記認証用パケットの受信時刻との時間差が所定時間内である場合に、取得した認証情報に基づいて前記被認証手段を所持するユーザの認証を行」なった後に、本願発明は、「前記被認証手段にＡＣＫを送信し、前記被認証手段は前記認証手段からＡＣＫが送信された場合に前記認証用パケットの送信を停止する」ように構成しているのに対して、引用発明はこの点が明記されていない点。
　
第５．相違点についての当審の判断
１．相違点１と２は互いに関係がある相違点なので纏めて検討すると、一般に、無線タグリーダ・ライタから、無線タグに対してデータリードコマンドを所定周期で送信し、これを受けて無線タグは、所定時間毎にデータリードコマンドに対するレスポンスデータを無線タグリーダ・ライタに返す無線タグ処理システムにおいて、
　無線タグから送られたレスポンスデータが正常であれば、無線タグリーダ・ライタは、レスポンスの送信終了を指定するコマンド（ＡＣＫ信号）を無線タグへ送信することによって、無線タグに対して不必要な送信動作をさせないようにすることは、例えば、本願の出願の日前に日本国内において頒布された刊行物である下記の周知例１、及び、下記の周知例２に記載されているように従来周知の技術事項である。
　
ａ．周知例１：特開２００２−２１６０９２号公報
　周知例１には、図面と共に、以下の記載がなされている。
　「【００６９】次に、第４の実施の形態について説明する。
【００７０】
第４の実施の形態は、無線タグリーダ・ライタ２００が無線タグ１００からのレスポンスを正常に受信できた場合に、レスポンスの送出を終了させるコマンドを送信するもので、図１２および図１３に示すフローチャートを参照して詳細に説明する
【００７１】いま、図２に示すように、ベルトコンベア４００により、
無線タグ１００ａ，１００ｂ，１００ｃを添付した物品５００が順次１個ずつ搬送されている。無線タグリーダ・ライタ２００は、データリードコマンドを所定周期で送信している（Ｓ６１）
【００７２】
この状態で、先頭の無線タグ１００ａが通信可能エリア６００内に入り、無線タグリーダ・ライタ２００からのコマンドを受信すると（Ｓ７１）、無線タグ１００ａは、そのコマンドに対するレスポンスデータを送信し（Ｓ７２）、無線タグリーダ・ライタ２００は、そのレスポンスデータを受信する（Ｓ６２）
【００７３】
レスポンスデータを受信すると、無線タグリーダ・ライタ２００は、無線タグ１００ａから送られたレスポンスデータに対しエラーチェック（たとえば、データフォーマットチェック、パリティチェックなど）を行なう（Ｓ６３）。このエラーチェックの結果、レスポンスデータが正常であれば、無線タグリーダ・ライタ２００は、レスポンスの送信終了を指定するコマンドを無線タグ１００ａへ送信する（Ｓ６４）
【００７４】ステップＳ６３のエラーチェックの結果、レスポンスデータが正常でなければ、無線タグリーダ・ライタ２００は、ステップＳ６１に戻って再度データリードコマンドを送信する。
【００７５】
無線タグ１００ａは、無線タグリーダ・ライタ２００からのレスポンス送信終了コマンドを受信すると（Ｓ７３）、その時点でレスポンスデータの送信を終了し、これ以降は無線タグリーダ・ライタ２００からデータリードコマンドを受信してもレスポンスデータの送信を禁止する（Ｓ７４）。
　
　上記記載から、周知例１には、
　無線タグリーダ・ライタ２００から、無線タグ１００に対してデータリードコマンドを所定周期で送信し、これを受けて無線タグ１００は、所定時間毎にデータリードコマンドに対するレスポンスデータを無線タグリーダ・ライタ２００に返す無線タグ処理システムにおいて、
　無線タグ１００から送られたレスポンスデータが正常であれば、無線タグリーダ・ライタ２００は、レスポンスの送信終了を指定するコマンド（ＡＣＫ信号）を無線タグ１００へ送信することによって、無線タグ１００に対して不必要な送信動作をさせないようにすること、が記載されている。
　
ｂ．周知例２：特開２００５−２２５６７６号公報
　周知例２には、図面と共に、以下の記載がなされている。
　「【００１９】
〈質問器と応答器の基本動作〉
　まず、質問器と応答器の基本動作を以下に説明する。
　
質問器２０は、コンピュータ１０内のＣＰＵ１１からの動作命令により、質問信号送信部２１を動作させて、適当な時間継続的に質問信号をアンテナ２４を通じて送信する
【００２０】
　
応答器３０は、アンテナ３４が受信した質問信号を質問信号検波部３１で検波し、整流し、図示しないバッテリやコンデンサに充電する。これを電源として応答器制御部３２が駆動され、メモリ３５に記憶している識別コードで質問信号を変調して、ＩＤ送信部３３からアンテナ３４を通じて出力する。応答信号は固有の周期とタイミングで断続的にシリアル出力する
【００２１】
　
質問器２０は、応答器３０から送信された応答信号をＩＤ検波部２３で受信し、質問器制御部２２に送る。質問器制御部２２では送られてきた識別コードに誤り処理を施し正規コードであると判断すると、識別コードに同期したしかるべきタイミングで、識別コードを受信したことを知らせるアクナレッジ信号を応答器３０に送信する
【００２２】
　
応答器３０は識別コードを送信した後、アクナレッジ信号をモニタリングしている。そのため、しかるべきタイミングでアクナレッジ信号が返信されたときは識別コードの送信を終了し、内部クロックを止めてスリープ状態に入る。
　上記記載から、周知例２には、
　質問器２０から、応答器３０に対して適当な時間継続的に質問信号を送信し、これを受けて応答器３０は、所定時間毎に質問信号に対する応答信号を質問器２０に返す無線タグ処理システムにおいて、
　応答器３０から送られた応答信号が正常であれば、質問器２０は、応答信号の送信終了を指定するアクナレッジ信号を応答器３０へ送信することによって、応答器３０に対して不必要な送信動作をさせないようにすること、が記載されている。
　
２．してみれば、引用発明において、「無線タグ１０」から「認証手段」に「送信」される「認証情報」を所定時間毎に送信するように構成すると共に、「無線タグ１０」から必要の無い「認証情報」の送信を無くすために、「無線タグ１０」対してＡＣＫを送信し、「無線タグ１０」は「認証手段」からＡＣＫが送信された場合に「認証情報」の送信を停止するようにして本願発明のように構成することは、当業者が容易になし得たことである。
　
　したがって、相違点１及び２は、当業者が容易になし得た範囲に含まれる程度のものである。
　
３．相違点についての判断のまとめ
　以上検討したとおりであるから、本願発明と引用発明との相違点は、周知技術を参酌することにより、当業者が容易になし得た範囲に含まれる程度のものである。
　
　したがって、本願発明は、引用発明及び周知技術に基いて、当業者が容易に発明をすることができたものであるから、特許法第２９条第２項の規定により特許を受けることができない。
　
第６．むすび
　以上のとおりであるから、本願は、他の請求項について検討するまでもなく、拒絶をすべきものである。
　
　よって、結論のとおり審決する。